(57)【要約】      （修正有）【課題】２種類の内容物が接触することがなく、内容物の保護性がよく、内容物を高速充填でき、開封性に優れる易開封性のある２室構造袋を提供する。【解決手段】袋本体フィルム１００の左右の中央位置でフィルム流れ方向の所定位置に、第１内容物２１を載置し、袋本体フィルム１００の両側面にフィルム流れ方向の折り返しを入れて第１内容物２１を包む凹溝状の第１内容物収納室１１０を形成し、第１内容物収納室１１０の真上の袋本体フィルム１００の内面上に第２内容物２２を載置し、袋本体フィルム１００の上端左右縁部に、平面外向きシール部１２１，１２２をフィルム流れ方向に設けて第２内容物収納室１２０を形成し、シール部１２１，１２２に蓋材フィルム２００の左右端縁部を重ねてヒートシールし、載置された内容物間の袋本体フィルム１００と蓋材フィルム２００を、所定位置の左右方向のシール部１３，１４をヒートシールして封袋し、切断分離する。【選択図】図１
2005289390.tif 000002
【特許請求の範囲】
【請求項１】
袋本体フィルムのロールと、イージーピール性を有する蓋材フィルムのロールを、製袋充填機に装填し、前記袋本体フィルムの左右方向の中央位置でフィルム流れ方向の所定位置に、第１内容物を間欠的に連続して載置し、前記袋本体フィルムの左右両側側面にフィルム流れ方向の折り返しを入れて第１内容物を包み込む凹溝状の第１内容物収納室を形成し、該第１内容物収納室の真上の前記袋本体フィルムの折り返しの内面上に第２内容物を載置し、前記袋本体フィルムの上端左右両側縁部に、平面外向きのシール部をフィルム流れ方向に設けて第２内容物収納室を形成し、前記シール部に前記蓋材フィルムのフィルム流れ方向の左右両側端縁部を重ね合わせてヒートシールし、前記載置された内容物間の前記袋本体フィルムと前記蓋材フィルムとを、フィルム流れ方向の所定位置の左右方向のシール部をヒートシールして包装袋を封袋し、一個ずつ切断分離したことを特徴とする易開封性のある２室構造袋。
【請求項２】
袋本体フィルムのロールと、イージーピール性を有する蓋材フィルムのロールを、製袋充填機に装填し、前記袋本体フィルムの左右方向の中央位置でフィルム流れ方向の所定位置に、第１内容物を間欠的に連続して載置し、前記袋本体フィルムの左右両側側面にフィルム流れ方向の折り返しを入れて第１内容物を包み込む凹溝状の第１内容物収納室を形成し、該第１内容物収納室の真上の前記袋本体フィルムの折り返しの内面上に、上下両面がヒートシール可能な板紙を載置し、前記袋本体フィルムの上端左右両側縁部と前記蓋材フィルムのフィルム流れ方向の左右両側端縁部を重ね合わせてヒートシールし、同時に、前記蓋材フィルムの内面と前記板紙の上面及び前記板紙の下面と前記蓋材フィルムの内面との全面ヒートシールと、前記載置された内容物間の前記袋本体フィルムと前記蓋材フィルムとのフィルム流れ方向の所定位置の左右方向のシール部をヒートシールして包装袋を封袋し、かつ、前記蓋材フィルムと前記板紙と前記袋本体フィルムとをヒートシールした左右方向の中央部に吊り下げ用孔を設け、一個ずつ切断分離したことを特徴とする易開封性のある２室構造袋。
【請求項３】
前記袋本体フィルムが、ハイバリア性フィルム層を含む積層フィルムであることを特徴とする請求項１又は請求項２記載の易開封性のある２室構造袋。
【発明の詳細な説明】
【技術分野】
【０００１】
本発明は、主内容物と準内容物などの２種類の内容物を同一の袋に収納する易開封性のある２室構造袋に関するのである。
【背景技術】
【０００２】
従来、例えば、主内容物が饅頭で、準内容物が脱酸素剤などの２種類の内容物を一緒に収納する包装としては、真空や圧空成形されたプラスチック製容器に内容物を収納したのち、開口部をトップフィルムでヒートシールして密封した深絞り包装、内容物を載置する台紙に、容器フィルムを熱接着したブリスター包装、縦形製袋充填機で製袋し内容物が袋詰めされたピロー包装などが広く使用されていた。
【発明の開示】
【発明が解決しようとする課題】
【０００３】
しかしながら、上述した深絞り包装、ブリスター包装やピロー包装においては、２種類の内容物を一緒に収納すると、収納された２種類の内容物が互いに接触し合い、内容物が汚れたり見栄えが悪くなった。また、内容物がガスバリア性を必要とする場合には、深絞り包装、ブリスター包装は、加熱工程と成型工程があり、内容物の充填速度が遅く、成形品の角部などに肉厚が薄いところが生じて、包装のバリア性が低下することがあり、このバリア性の低下を防ぐために、厚いフィルムを使用すると、製造コストが高くなり、しかも使用後の廃棄処理時のごみの量が増加してしまうことがあった。また、ピロー包装においては、タイト性がなく内容物の保護性が劣り、開封するときの開封性が悪く、開封時の衝撃により内容物が包装袋から飛び出すことなどの問題があった。
【０００４】
本発明は、上述の従来の従来の深絞り包装、ブリスター包装、ピロー包装などの問題点を解決したものであり、２種類の内容物が接触することがなく、内容物の保護性がよく、内容物を高速充填でき、吊り下げも可能な易開封性のある２室構造袋を提供するものである。
【課題を解決するための手段】
【０００５】
すなわち、本発明の第１の発明は、袋本体フィルムのロールと、イージーピール性を有する蓋材フィルムのロールを、製袋充填機に装填し、前記袋本体フィルムの左右方向の中央位置でフィルム流れ方向の所定位置に、第１内容物を間欠的に連続して載置し、前記袋本体フィルムの左右両側側面にフィルム流れ方向の折り返しを入れて第１内容物を包み込む凹溝状の第１内容物収納室を形成し、この第１内容物収納室の真上の前記袋本体フィルムの折り返しの内面上に第２内容物を載置し、前記袋本体フィルムの上端左右両側縁部に、平面外向きのシール部をフィルム流れ方向に設けて第２内容物収納室を形成し、前記シール部に前記蓋材フィルムのフィルム流れ方向の左右両側端縁部を重ね合わせてヒートシールし、前記載置された内容物間の前記袋本体フィルムと前記蓋材フィルムとを、フィルム流れ方向の所定位置の左右方向のシール部をヒートシールして包装袋を封袋し、一個ずつ切断分離したことを特徴とする易開封性のある２室構造袋である。
【０００６】
また、本発明の第２の発明は、袋本体フィルムのロールと、イージーピール性を有する蓋材フィルムのロールを、製袋充填機に装填し、前記袋本体フィルムの左右方向の中央位置でフィルム流れ方向の所定位置に、第１内容物を間欠的に連続して載置し、前記袋本体フィルムの左右両側側面にフィルム流れ方向の折り返しを入れて第１内容物を包み込む凹溝状の第１内容物収納室を形成し、この第１内容物収納室の真上の前記袋本体フィルムの折り返しの内面上に、上下両面がヒートシール可能な板紙を載置し、前記袋本体フィルム
の上端左右両側縁部と前記蓋材フィルムのフィルム流れ方向の左右両側端縁部を重ね合わせてヒートシールし、同時に、前記蓋材フィルムの内面と前記板紙の上面及び前記板紙の下面と前記蓋材フィルムの内面との全面ヒートシールと、前記載置された内容物間の前記袋本体フィルムと前記蓋材フィルムとのフィルム流れ方向の所定位置の左右方向のシール部をヒートシールして包装袋を封袋し、かつ、前記蓋材フィルムと前記板紙と前記袋本体フィルムとをヒートシールした左右方向の中央部に吊り下げ用孔を設け、一個ずつ切断分離したことを特徴とする易開封性のある２室構造袋である。
【０００７】
そして、本発明の第３の発明は、前記袋本体フィルムが、ハイバリア性フィルム層を含む積層フィルムであることを特徴とする第１の発明又は第２の発明に記載の易開封性のある２室構造袋である。
【発明の効果】
【０００８】
本発明の易開封性のある２室構造袋は、袋本体フィルムの左右両側側面に折り返しを入れて、下方に第１内容物収納室を形成し、この第１内容物収納室の真上に第２内容物収納室を設けるものであり、第１内容物収納室と第２内容物収納室との間は、袋本体フィルムの折り返しで遮られているため、第１内容物収納室に収納れた第１内容物と第２内容物収納室に収納された第２内容物とは、接触することがなく、内容物が汚れたり、見栄えが悪くなることがない。
【０００９】
また、本発明の易開封性のある２室構造袋は、側面に折り返しを入れた袋本体フィルムと蓋材フィルムとをヒートシールして、製袋及び封袋したものであり、深絞り包装やブリスター包装のように、加熱工程を経て内容物収納室を真空成形や圧空成形などで成形するものと異なり、薄肉部分がなく、製袋において包装袋のバリア性が低下することがなく、内容物の保護性が良好である。なお、包装袋に特にバリア性が要求される場合には、袋本体フィルムとしてハイバリア性フィルム層を含む積層フィルムを使用することができる。
【００１０】
また、本発明の易開封性のある２室構造袋は、製袋充填機上で連続的に形成される袋本体フィルムの凹溝状の第１内容物収納室に、間欠的に連続して所定位置に第１内容物を載置し、袋本体フィルムの左右両側側面に折り返しを入れて第１内容物を包み込む第１内容物収納室を形成し、この第１内容物収納室の真上の袋本体フィルムの折り返しの内面上に第２内容物を載置して行くものであり、内容物を高速充填することが可能である。
【００１１】
また、本発明の易開封性のある２室構造袋は、蓋材フィルムにイージーピール性を有する積層フィルムが使用されるものであり、包装袋を開封するときに、包装袋の開封が容易であり、内容物が開封時の衝撃により包装袋から飛び出すようなことがない。
【００１２】
また、本発明の易開封性のある２室構造袋は、第１内容物収納室の真上の袋本体フィルムの折り返しの内面上に、上下両面がヒートシール可能な板紙を載置し、袋本体フィルムの上端左右両側縁部と蓋材フィルムの左右両側端縁部を重ね合わせてヒートヒールし、同時に、蓋材フィルムの内面と板紙の上面及び板紙の下面と蓋材フィルムの内面との全面ヒートシールと、載置された内容物間の袋本体フィルムと蓋材フィルムとのフィルム流れ方向の所定位置の左右方向のシール部をヒートシールして封袋し、蓋材フィルムと板紙と袋本体フィルムとを全面ヒートシールした部分の左右方向の中央部に吊り下げ用孔を設けると、吊り下げが可能となる。
【発明を実施するための最良の形態】
【００１３】
次に、本発明の易開封性のある連包袋の一実施形態について、図を用いて詳細に説明する。
【００１４】
図１（ａ）は、第１内容物が主内容物で第２内容物が準内容物である実施形態１の易開封性のある２室構造袋の平面図であり、図１（ｂ）は、そのＡ−Ａ’断面図である。図２（ａ）は、第１内容物が準内容物で第２内容物が主内容物である実施形態２の易開封性のある２室構造袋の平面図であり、図２（ｂ）は、そのＢ−Ｂ’断面図である。図３（ａ）は、第１内容物が主内容物で第２内容物がヒートシール可能な板紙である実施形態３の易開封性のある２室構造袋の平面図であり、図３（ｂ）は、そのＣ−Ｃ’断面図である。図４は、袋充填機上の実施形態１乃至３の２室構造袋の封袋後の流れの状態を示す説明図である。
【００１５】
本実施形態の易開封性のある２室構造袋（１０）は、図１（ａ）及び（ｂ）、図２（ａ）及び（ｂ）、図３（ａ）及び（ｂ）に示すように、袋本体フィルム（１００）の左右両側側面に折り返し（１０１，１０２）を入れて第１内容物（２１）を収納する下方の第１内容物収納室（１１０）と、その上方に第２内容物（２２）を収納する第２内容物収納室（１２０）を設け、この袋本体フィルムにイージーピール性の蓋材フィルム（２００）を重合わせて、四方の外周縁部をヒートシール（１１，１２，１３，１４）して封袋するものである。
【００１６】
なお、本実施形態の易開封性のある２室構造袋（１０）に収納する第１内容物と第２内容物の組み合わせは、主内容物とその主内容物に関わりをもつ準内容物とからなり、その具体例を表１に示す。
【００１７】
【表１】
2005289390.tif 000003
実施形態１の易開封性のある２室構造袋（１０）は、図１（ａ）及び（ｂ）に示すように、第１内容物（２１）が主内容物で第２内容物（２２）が準内容物であり、製袋充填機に、袋本体フィルム（１００）のロールとイージーピール性を有する蓋材フィルム（２００）のロールとを装填し、袋本体フィルムのフィルム流れ方向の所定位置に、第１内容物を間欠的に連続して載置し、袋本体フィルムの左右側面にフィルム流れ方向の折り返し（１０１，１０２）を入れて第１内容物を包み込む凹溝状の第１内容物収納室（１１０）を形成し、この第１内容物収納室の真上の袋本体フィルムの折り返し上に第２内容物を載置し、袋本体フィルムの上端左右両側縁部に平面外向きのシール部（１２１，１２２）を設けて第２内容物収納室（１２０）を形成し、このシール部に蓋材フィルムを重ね合わせて、図４に示すように、ヒートシール（１１，１２）し、載置された内容物間の袋本体フィルムと蓋材フィルムとを、フィルム流れ方向の所定位置の左右方向のシール部をヒートシール（１３，１４）して封袋し、一個ずつの包装袋に切断（２点鎖線で示す）分離するものである。
【００１８】
実施形態２の易開封性のある２室構造袋（１０）は、図２（ａ）及び（ｂ）に示すように、第１内容物（２１）が準内容物で第２内容物（２２）が主内容物であり、実施形態１と同様に、製袋充填機に、袋本体フィルム（１００）のロールとイージーピール性を有する蓋材フィルム（２００）のロールとを装填し、袋本体フィルムのフィルム流れ方向の所定位置に、第１内容物を間欠的に連続して載置し、袋本体フィルムの左右側面にフィルム流れ方向の折り返し（１０１，１０２）を入れて第１内容物を包み込む凹溝状の第１内容物収納室（１１０）を形成し、この第１内容物収納室の真上の袋本体フィルムの折り返し上に第２内容物を載置し、袋本体フィルムの上端左右両側縁部に平面外向きのシール部（１２１，１２２）を設けて第２内容物収納室（１２０）を形成し、このシール部に蓋材フィルムを重ね合わせて、図４に示すように、ヒートシール（１１，１２）し、載置された内容物間の袋本体フィルムと蓋材フィルムとを、フィルム流れ方向の所定位置の左右方向のシール部をヒートシール（１３，１４）して封袋し、一個ずつの包装袋に切断（２点鎖線で示す）分離するものである。
【００１９】
実施形態３の易開封性のある２室構造袋（１０）は、図３（ａ）及び（ｂ）に示すように、第１内容物（２１）が主内容物で第２内容物が上下両面がヒートシール可能な板紙（２３）であり、製袋充填機に、袋本体フィルム（１００）のロールとイージーピール性を有する蓋材フィルム（２００）のロールとを装填し、袋本体フィルムのフィルム流れ方向の所定位置に、第１内容物（２１）を間欠的に連続して載置し、袋本体フィルムの左右側面にフィルム流れ方向の折り返し（１０１，１０２）を入れて第１内容物を包み込む凹溝状の第１内容物収納室（１１０）を形成し、この第１内容物収納室の真上の袋本体フィルムの折り返し上に、上下両面がヒートシール可能な板紙（２３）を載置し、図４に示すように、袋本体フィルムの上端左右縁部と蓋材フィルムの左右端縁部を重ね合わせてヒートシール（１１，１２）し、同時に、蓋材フィルムの内面と板紙の上面及び板紙の下面と蓋材フィルムの内面との全面ヒートシールと、載置された内容物間の袋本体フィルムと蓋材フィルムとのフィルム流れ方向の所定位置の左右方向のシール部をヒートシール（１３，１４）して包装袋を封袋し、図３（ａ）及び（ｂ）に示すように、蓋材フィルム（２００）と板紙（２３）と袋本体フィルム（１００）とを全面ヒートシールした部分の左右方向の中央部に吊り下げ用孔（１５）を設けて、一個ずつの包装袋に切断分離するものである。
【００２０】
なお、フィルムの構成としては、例えば、内容物がガスバリア性を必要とする場合には、無機化合物蒸着膜層／ナイロンフィルム層／無延伸ポリプロピレン層構成の袋本体フィルムとポリエチレンテレフタレートフィルム層／無機化合物蒸着膜層／イージーピールフィルム層構成の蓋材フィルムなどが使用でき、内容物がガスバリア性を必要としない場合には、ポリエチレンテレフタレートフィルム層／ナイロンフィルム層／無延伸ポリプロピレン層構成の袋本体フィルムと易引き裂き性ポリエチレンテレフタレートフィルム層／イージーピールフィルム層構成の蓋材フィルムなどが使用できる。
【００２１】
以下に、本発明の具体的実施例を説明する。
【実施例】
【００２２】
まず、ドライラミネーションにより、ポリエチレンテレフタレートフィルム層（１２μｍ厚）／ガスバリア性フィルム層（１２μｍ厚）／イージーピール性フィルム層（３０μｍ厚）積層構成の蓋材フィルム並びにガスバリア性フィルム層（１２μｍ厚）／ナイロンフィルム層（１５μｍ厚）／無延伸ポリプロピレンフィルム層（６０μｍ厚）積層構成の袋本体フィルムを作製した。なお、ガスバリア性フィルムとしては、特開平１１−１６５３６９号公報に記載の樹脂と無機層状化合物とを含む複合皮膜が形成されているガスバリア性フィルムを使用した。
【００２３】
次に、製袋充填機に、袋本体フィルムのロールとイージーピール性を有する蓋材フィルムのロールとを装填し、袋本体フィルムのフィルム流れ方向の所定位置に、第１内容物を間欠的に連続して載置し、袋本体フィルムの左右側面にフィルム流れ方向の折り返しを入れて第１内容物を包み込む凹溝状の第１内容物収納室を形成し、この第１内容物収納室の真上の袋本体フィルムの折り返し上に第２内容物を載置し、袋本体フィルムの上端左右両側縁部に平面外向きのシール部を設けて第２内容物収納室を形成し、このシール部に蓋材フィルムを重ね合わせて、ヒートシールし、載置された内容物間の袋本体フィルムと蓋材フィルムとを、フィルム流れ方向の所定位置の左右方向のシール部をヒートシールして封袋し、一個ずつに切断分離して、本実施例の易開封性のある２室構造袋を作製した。
【００２４】
上述の本実施例の易開封性のある２室構造袋は、流通過程において２種類の内容物が接触することがなく、内容物の保護性がよく、内容物を高速充填でき、開封時には、易開封性であった。
【図面の簡単な説明】
【００２５】
【図１】（ａ）は、実施形態１の易開封性のある２室構造袋の平面図であり、（ｂ）は、そのＡ−Ａ’断面図である。
【図２】（ａ）は、実施形態２の易開封性のある２室構造袋の平面図であり、（ｂ）は、そのＢ−Ｂ’断面図である。
【図３】（ａ）は、実施形態３の易開封性のある２室構造袋の平面図であり、（ｂ）は、そのＣ−Ｃ’断面図である。
【図４】製袋充填機上の実施形態１乃至３の２室構造袋の封袋後の流れの状態を示す説明図である。
【符号の説明】
【００２６】
１０……２室構造袋
１１，１２，１３，１４……ヒートシール
２１……第１内容物
２２……第２内容物
２３……板紙
１５……吊り下げ用孔
１００……袋本体フィルム
１０１，１０２……折り返し
１１０……第１内容物収納室
１２０……第２内容物収納室
１２１，１２２……シール部
２００……蓋材フィルム
【図１】
2005289390.tif 000004
【図２】
2005289390.tif 000005
【図３】
2005289390.tif 000006
【図４】
2005289390.tif 000007